(57)【要約】【課題】極めて簡易な構造で、容易に使用することができるとともに、顔の各形状に対応して皮膚Ｓ下の細胞に適切な陰圧状態を生じさせる。【解決手段】皮膚Ｓ下に陰圧が生じた状態を維持するための皮膚下陰圧維持具１０であって、弾性を有するとともに、稜線Ｌを境として曲率の異なる一対の曲面Ｒａ，Ｒｂが接合された形状を有する保持部１１と、保持部１１の皮膚Ｓに対向する側の天井面に設けられた粘着性を有する接着面１２とを備え、保持部１１は、接着面１２を介して皮膚Ｓに貼着されるとともに、保持部１１の弾性による復元力によって、皮膚Ｓに貼着された接着面１２を皮膚Ｓに貼り付けたままの状態で、接着面１２を所定位置まで持ち上げて保持し、持ち上げた皮膚Ｓ下に陰圧が生じた状態を維持する。【選択図】図２
2012152496.tif 000002
【特許請求の範囲】
【請求項１】
皮膚下に陰圧が生じた状態を維持するための皮膚下陰圧維持具であって、
弾性を有するとともに、稜線を境として曲率の異なる一対の曲面が接合された形状を有する保持部と、
前記保持部の皮膚に対向する側の天井面に設けられた粘着性を有する接着面と
を備え、
前記保持部は、前記接着面を介して皮膚に貼着されるとともに、前記保持部の弾性による復元力によって、皮膚に貼着された前記接着面を皮膚に貼り付けたままの状態で、該接着面を所定位置まで持ち上げて保持し、前記持ち上げた皮膚下に陰圧が生じた状態を維持する
ことを特徴とする皮膚下陰圧維持具。
【請求項２】
前記一対の曲面は、縁部にサインカーブ状を有する第１の曲面と、該第１の曲面よりも面積が広く、縁部が略円形の第２の曲面とからなることを特徴とする請求項１に記載の皮膚下陰圧維持具。
【請求項３】
前記保持部には、前記稜線上の一点を中心とする放射線状の切込線が表示され、該切込線に沿って、該保持部の一部分を切除することにより、前記皮膚に貼着された状態の前記曲率を調節可能となっていることを特徴とする請求項１又は２に記載の皮膚下陰圧維持具。
【請求項４】
前記接着面は、皮膚を接着するための接着剤が塗布されていることを特徴とする請求項１乃至３のいずれかに記載の皮膚下陰圧維持具。
【請求項５】
前記接着面は、皮膚を接着するための接着テープが貼り付けられることを特徴とする請求項１乃至４のいずれかに記載の皮膚下陰圧維持具。
【発明の詳細な説明】
【技術分野】
【０００１】
本発明は、皮膚を持ち上げて皮膚下に陰圧が生じた状態を維持し、陰圧が生じている皮膚下の細胞の新陳代謝を促進させ、細胞を活性化させる皮膚下陰圧維持具に関する。
【背景技術】
【０００２】
従来より、美容への関心は高く、特に、顔に生じる、しわや弛みについては、多くの女性が関心を有している。ここで、現在、美容外科や皮膚科等の医療分野においては、専門医師により外科的手術或いは各種電磁波の出射機器を用いて、顔のしわや弛みを改善させる手術等が行われている。ところが、美容外科における手術には多大な費用がかかるとともに、直接、肌にメスやレーザー等を当てて肌を傷つけるため、気軽に行うことができないという問題があった。
【０００３】
そのような問題を解決すべく、自宅において、容易に使用し、顔のしわや弛みを改善することができる器具が提案されている（例えば、特許文献１）。この特許文献１に開示された皮膚下陰圧維持具は、内部に空間のある円錐状の保持部と、保持部内部に備えられ、皮膚に貼り付く貼着部とからなり、皮膚を貼り付けた貼着部を持ち上げてその状態を保持することで、皮膚下の細胞に対して陰圧状態を発生させる。その結果、その陰圧状態の細胞の新陳代謝が促進され、細胞が活性化されることでしわやしみを改善させるものである。そして、特許文献１に開示された技術では、皮膚を持ち上げた貼着部を保持部に係止して、皮膚下の陰圧状態を維持するため、ユーザーは使用中、皮膚下陰圧維持具を手に持ち続けることがなく、容易に使用することができる。
【先行技術文献】
【特許文献】
【０００４】
【特許文献１】国際公開公報２００９−１２５８３７号
【発明の概要】
【発明が解決しようとする課題】
【０００５】
しかしながら、上記特許文献１に開示された皮膚下陰圧維持具では、皮膚に接触する下部が略円状の形状であり、単純な円錐台又はドーム状の形状であり、皮膚下に与える陰圧状態が均一となる。このため、この器具を複雑な凹凸を多く有する顔に使用する場合には、その複雑な凹凸形状に追従させて陰圧状態を維持することができず、また、陰圧に部分的な強弱を付けることができず、各部位のしわの特性に合った効果を得られないという問題があった。
【０００６】
そこで、本発明は以上の点に鑑みてなされたもので、極めて簡易な構造で、容易に使用することができるとともに、顔の各形状に対応して皮膚下の細胞に適切な陰圧状態を生じさせることができる皮膚下陰圧維持具を提供することを目的とする。
【課題を解決するための手段】
【０００７】
上記課題を解決するために、本発明は、皮膚下に陰圧が生じた状態を維持するための皮膚下陰圧維持具であって、弾性を有するとともに、稜線を境として曲率の異なる一対の曲面が接合された形状を有する保持部と、保持部の皮膚に対向する側の天井面に設けられた粘着性を有する接着面とを備え、保持部は、接着面を介して皮膚に貼着されるとともに、保持部の弾性による復元力によって、皮膚に貼着された接着面を皮膚に貼り付けたままの状態で、接着面を所定位置まで持ち上げて保持し、持ち上げた皮膚下に陰圧が生じた状態を維持する。
【０００８】
このような発明によれば、接着面に貼着した皮膚は保持部の弾性による復元力によって、皮膚が所定位置まで持ち上げられ、保持部の外周部分の皮膚下には、陽圧を生じさせるとともに、保持部の皮膚下には陰圧を生じさせることができる。さらに、本発明によれば、保持部には、その皮膚と接触する面に粘着性の接着面を有しているので、ユーザーが手を離した場合でも、皮膚は接着面と接着状態を維持することができるので、皮膚下に生じた陰圧を維持することが容易にできる。そして、本発明によれば、このように皮膚下に陰圧が生じたままの状態を維持させることで、陰圧がかかっている皮膚下では、陰圧による力を受け続ける細胞の新陳代謝が促進され、細胞を活性化させることができる。これにより、皮膚に現れたしわやしみなどの消失を促すことができる。
【０００９】
特に、本発明において、保持部は、稜線を境として曲率の異なる一対の曲面が接合された形状を有しているので、各面曲の下方部分に位置する皮膚に対して、異なる陰圧状態を生じさせることができ、これにより、顔の凹凸部分に追従して陰圧を生じさせることができる。
例えば、一対の両曲面を、外方に膨らんだ異なる凸状をなす曲面とし、内部に主として陰圧を生じさせるとともに、周縁に陽圧を生じさせる。これらの曲面では、陰圧及び陽圧が、相互に作用し合い、全体として釣り合った状態となるが、各曲面の面積及び形状の違いにより局所的に作用する力が制御され、身体各部位の複雑な凹凸形状に追従させて、陰圧に部分的な強弱を付けることができ、各部位のしわの特性に合った効果が得られるようになっている。
また、例えば、一方の曲面を外方に膨らんだ凸状とし、他方の曲面よりも面積を大きくすることにより、その形状による弾性によって、内部に主として陰圧を生じさせる。併せて、他方の曲面を、内方に窪んだ凹状とし、内部に主として陽圧を生じさせる。これら一対の曲面では、相互に作用・反作用の関係によって全体として陰圧と陽圧とが釣り合った状態となるが、この場合にも、各曲面の面積及び形状の違いにより局所的に作用する力が制御され、身体各部位の複雑な凹凸形状に追従させて、陰圧及び陽圧に部分的な強弱を付けることができ、各部位のしわの特性に合った効果が得られるようになっている。
【００１０】
上記発明において、一対の曲面は、縁部にサインカーブ状を有する第１の曲面と、第１の曲面よりも面積が広く、縁部が略円形の第２の曲面とからなることが好ましい。この場合には、目や口の近傍にはサインカーブ状を有する第１の曲面部分を配置させ、その他の部分に第２の曲面部分を配置させることで、目や口に皮膚下陰圧維持具が触れない状態で、目や口の周りにできたしわに対して適切に陰圧状態を生じさせることができる。
【００１１】
また、上記発明において、保持部には、稜線上の一点を中心とする放射線状の切込線が表示され、切込線に沿って、該保持部の一部分を切除することにより、皮膚に貼着された状態の曲率を調節可能となっていることが好ましい。この場合には、保持部の一部を切除することで、皮膚に貼着された保持部の曲率を変更させて調整できるので、各ユーザーによって、異なる顔の形状に追従して皮膚下に陰圧状態を生じさせることができる。また、保持部には、切込線が表示されているので、ユーザーは、特別な熟練を要せず、容易に曲面の曲率を調整することができる。
【００１２】
上記発明において、接着面は、皮膚を接着するための接着剤が塗布されていることが好ましい。この場合には、皮膚に接着する接着面に接着剤を塗布してあるので、皮膚と接着面との粘着力が増し、皮膚に容易に接着することができる。これにより、接着面を所定位置まで持ち上げることができ、皮膚下に陰圧が生じた状態を維持させることができる。
【００１３】
上記発明において、接着面は、皮膚を接着するための接着テープが貼り付けられることが好ましい。この場合には、皮膚に接着する接着面に接着テープを貼り付けられているので、皮膚と接着面との粘着力が増し、皮膚に容易に接着することができる。これにより、接着面を所定位置まで持ち上げることができ、皮膚下に陰圧が生じた状態を維持させることができる。
【発明の効果】
【００１４】
このような発明によれば、極めて簡易な構造で、容易に使用することができるとともに、顔の各形状に対応して皮膚下の細胞に適切な陰圧状態を生じさせることができる。
【図面の簡単な説明】
【００１５】
【図１】（ａ）は、実施形態に係る皮膚下陰圧維持具を示す側断面図であり、同図（ｂ）は、実施形態に係る皮膚下陰圧維持具を示す下面図である。
【図２】（ａ）は、第１実施形態に係る額用の皮膚下陰圧維持具を示す上面図であり、同図（ｂ）は、第１実施形態に係る目元用の皮膚下陰圧維持具を示す上面図であり、同図（ｃ）は、口元用の皮膚下陰圧維持具を示す上面図である。
【図３】（ａ）は、第１実施形態に係る額用の皮膚下陰圧維持具を示す斜視図であり、同図（ｂ）は、同図（ａ）におけるＡ−Ａ断面図である。
【図４】（ａ）は、第１実施形態に係る目元用の皮膚下陰圧維持具を示す斜視図であり、同図（ｂ）は、同図（ａ）におけるＢ−Ｂ断面図である。
【図５】（ａ）は、第１実施形態に係る口元用の皮膚下陰圧維持具を示す斜視図であり、同図（ｂ）は、同図（ａ）におけるＣ−Ｃ断面図である。
【図６】第１実施形態に係る各皮膚下陰圧維持具の切込線を示す上面図である。
【図７】第１実施形態に係る皮膚下陰圧維持具を使用した際の状態を示す説明図である。
【図８】第１実施形態に係る皮膚下陰圧維持具を使用した際の皮膚下の細胞に働く陰圧状態を示す説明図である。
【図９】（ａ）は、第２実施形態に係る皮膚下陰圧維持具を示す斜視図であり、同図（ｂ）は、同図（ａ）におけるＤ−Ｄ断面図であり、同図（ｃ）は、第２実施形態に係る皮膚下陰圧維持具を使用した際の状態を示す説明図である。
【図１０】変更例に係る皮膚下陰圧維持具を示す斜視図、側断面図及び説明図である。
【発明を実施するための形態】
【００１６】
［第１実施形態］
以下、本発明の実施形態について図を参照して説明する。図１（ａ）は本実施形態に係る皮膚下陰圧維持具を示す側断面図であり、（ｂ）は、本実施形態に係る皮膚下陰圧維持具を示す下面図である。
【００１７】
本実施形態に係る皮膚下陰圧維持具１０は、皮膚Ｓ下に陰圧を生じさせ、その陰圧状態を維持するための器具であって、図１に示すように、外形をなす保持部１１と、その内面の接着面１２とから構成されている。
【００１８】
保持部１１は、図１（ａ）に示すように、その上部に形成された稜線Ｌを境として曲率の異なる一対の曲面１１ａ，１１ｂが接合され、その内部に空間２を有するとともに、下部が開口された貝殻のような略半球の形状をなしている。この保持部１１は、シリコンなどの軟質合成樹脂や天然ゴムなどの天然樹脂など、弾性による復元力が生じて元の形状に戻ろうとする素材で形成され、曲面１１ａ，１１ｂを一体成型されている。
【００１９】
曲面１１ａは、外方に膨らんだ凸状をなす曲面であり曲面１１ｂよりも面積が大きく、その形状による弾性によって、内部に主として陰圧を生じさせる。一方、曲面１１ｂにおいても、外方に膨らんだ凸状をなす曲面であり、内部に主として陰圧を生じさせるとともに、皮膚と接触する周縁部に陽圧を生じさせる。曲面１１ａと１１ｂの間では、それぞれの陰圧が、相互に作用し合い、周縁の陽圧に対し、全体として釣り合った状態となるが、各曲面の面積及び形状の違いにより局所的に作用する力が制御され、身体各部位の複雑な凹凸形状に追従させて、陰圧に部分的な強弱を付けることができ、各部位のしわの特性に合った効果が得られるようになっている。
【００２０】
また、保持部１１は、図１（ａ）及び（ｂ）に示すように、保持部１１の皮膚に対向する側の天井面に粘着性を有する接着面１２が設けられている。本実施形態において、接着面１２には、皮膚を接着するための接着剤が塗布、又は皮膚を接着するための接着テープが貼り付けられ、この接着剤又は接着テープなどの接着部材２０を有することで、一定の粘着性を有し、皮膚Ｓとの接着状態を維持するようになっている。
【００２１】
なお、図１に示した保持部１１は、その厚さが一律となっているが、部分的に肉厚部分を形成するようにしてもよい。例えば、曲面部分に上部から下部に向かって延びる肉厚部分（図示せず）を設けてもよい。この肉厚部分は、保持部１１の強度を高めると同時に復元力を大きくする効果がある。さらに、接着剤や接着テープは、皮膚に直接に接触するものであるので、実施においてはアレルギーが起こらないようなものを使用することとなる。
【００２２】
そして、本実施形態において、保持部１１は、図１（ａ）に示すように開口部分を下にして、皮膚Ｓの上から被せるように押しあてて使用する。これにより、図８に示すように、皮膚下陰圧維持具１０は、保持部１１が接着面１２を介して皮膚Ｓに貼着されると、保持部１１の弾性による復元力によって、皮膚Ｓに貼着された接着面１２を皮膚に貼り付けたままの状態で、接着面１２を所定位置まで持ち上げて保持し、持ち上げた皮膚Ｓ下に陰圧が生じた状態を維持するようになっている。
【００２３】
次いで、本実施形態における、皮膚下陰圧維持具１０の具体的な形態について説明する。図２は、本実施形態に係る額用，目元用，及び口元用の皮膚下陰圧維持具を示す上面図である。すなわち、本実施形態において、皮膚下陰圧維持具１０の形態としては、図２（ａ）に示すように、額用の皮膚下陰圧維持具１１０と、図２（ｂ）に示すように一対の目元用の皮膚下陰圧維持具１２０，１２０と、図２（ｃ）に示すように、一対の口元用の皮膚下陰圧維持具１３０，１３０とがある。
【００２４】
以下、これらの各形態について説明する。なお、図３（ａ）は、本実施形態に係る額用の皮膚下陰圧維持具を示す斜視図であり、同図（ｂ）は、同図（ａ）におけるＡ−Ａ断面図であり、図４（ａ）は、本実施形態に係る目元用の皮膚下陰圧維持具を示す斜視図であり、同図（ｂ）は、同図（ａ）におけるＢ−Ｂ断面図であり、図５（ａ）は、本実施形態に係る口元用の皮膚下陰圧維持具を示す斜視図であり、同図（ｂ）は、同図（ａ）におけるＣ−Ｃ断面図である。また、図６は、本実施形態に係る各皮膚下陰圧維持具における切込線を示す上面図である。
【００２５】
（額用の皮膚下陰圧維持具）
額用の皮膚下陰圧維持具１１０は、額全体を覆い、額部分の皮膚Ｓ下に陰圧を生じさせ、その陰圧状態を維持するための器具であり、保持部１１１を備えている。保持部１１１の上部には、図３（ａ）に示すように、保持部１１１に対し左右に延びた稜線Ｌ１を有しており、保持部１１１は、この稜線Ｌ１を境にして第１の曲面１１１ｂと、第２の曲面１１１ａとが上下に接合された形状をなしている。
【００２６】
下側に位置する第１の曲面１１１ｂは、縁部１１２ｂにサインカーブ状の形状を有している曲面であり、額の下方部分である眉間や眉の近傍における凹凸部分に対応する形状となっている。上側に位置する第２の曲面１１１ａは、第１の曲面よりも面積が広く、縁部１１２ａが略円形の形状を有する曲面である。なお、額用の皮膚下陰圧維持具１１０においても、保持部１１１の皮膚に対向する側の天井面には、接着面１２が設けられている。
【００２７】
そして、本実施形態では、図３（ｂ）に示すように、第１の曲面１１１ｂの曲率Ｒ１ｂと、第２の曲面１１１ａの曲率Ｒ１ａとの曲率が異なるように構成されている。上記稜線Ｌ１を、両方の眉毛の上部に沿うように位置させることにより、皮膚下陰圧維持具１１０の外周縁に生じる陽圧を反力として、額部分を中心とする陰圧が生じる。
【００２８】
（目元用の皮膚下陰圧維持具）
目元用の皮膚下陰圧維持具１２０は、目尻部分を覆い、目尻部分の皮膚Ｓ下に陰圧を生じさせ、その陰圧状態を維持するための器具であり、保持部１２１を備えている。保持部１２１の上部には、図４（ａ）に示すように、保持部１２１に対し上下に延びた稜線Ｌ２を有しており、保持部１２１は、この稜線Ｌ２を境にして第１の曲面１２１ｂと、第２の曲面１２１ａとが接合された形状をなしている。
【００２９】
内側に位置する第１の曲面１２１ｂは、縁部１２２ｂにサインカーブ状の形状を有している曲面であり、両方の目尻部分の凹凸部分に対応する形状となっている。また、外側に位置する第２の曲面１２１ａは、第１の曲面よりも面積が広く、縁部１２２ａが略円形の形状を有する曲面である。なお、目元用の皮膚下陰圧維持具１２０においても、図示しないが、保持部１２１の皮膚に対向する側の天井面に接着面１２が設けられている。
【００３０】
そして、本実施形態では、図４（ｂ）に示すように、第１の曲面１２１ｂの曲率Ｒ２ｂと、第２の曲面１２１ａの曲率Ｒ２ａとの曲率が異なるように構成されている。上記稜線Ｌ２を、目尻骨格に沿うように位置させることにより、皮膚下陰圧維持具１２０の外周縁に生じる陽圧を反力として、目尻位置を中心とする陰圧が生じる。
【００３１】
（口元用の皮膚下陰圧維持具）
口元用の皮膚下陰圧維持具１３０は、口元の両側部を覆い、口元の皮膚Ｓ下に陰圧を生じさせ、その陰圧状態を維持するための器具であり、保持部１３１を備えている。保持部１３１の上部には、図５（ａ）に示すように、保持部１３１に対し上下に延びた稜線Ｌ３を有しており、保持部１３１は、この稜線Ｌ３を境にして第１の曲面１３１ｂと、第２の曲面１３１ａとが接合された形状をなしている。
【００３２】
第１の曲面１３１ｂは、縁部１３２ｂにサインカーブ状の形状を有している曲面であり、口元近傍の凹凸部分に対応する形状となっている。また、第２の曲面１３１ａは、第１の曲面よりも面積が広く、縁部１３２ａが略円形の形状を有する曲面である。なお、口元用の皮膚下陰圧維持具１３０においても、図示しないが、保持部１３１の皮膚に対向する側の天井面には、接着面１２が設けられている。
【００３３】
そして、本実施形態では、図５（ｂ）に示すように、第１の曲面１３１ｂの曲率Ｒ３ｂと、第２の曲面１３１ａの曲率Ｒ３ａとの曲率が異なるように構成されている。上記稜線Ｌ３を、ほうれい線に沿うように位置させることにより、皮膚下陰圧維持具１３０の外周縁に生じる陽圧を反力として、ほうれい線を中心とする陰圧が生じる。
【００３４】
さらに、本実施形態においては、各保持部１１１，１２１，１３１には、図６（ａ）〜（ｃ）に示すように、各稜線Ｌ１，Ｌ２，Ｌ３上の点Ｐ１，Ｐ２，Ｐ３を中心とする放射線状の切込線Ｔ１，Ｔ２，Ｔ３が表示されている。この切込線Ｔ１，Ｔ２，Ｔ３に沿って、保持部１１１，１２１，１３１の一部分を切除することにより、皮膚に貼着された状態の曲率を調節可能となっている。
【００３５】
次いで、各皮膚下陰圧維持具１１０，１２０，１３０の使用方法について説明する。図７は、本実施形態における各皮膚下陰圧維持具１１０，１２０，１３０を顔に置き、使用した状態を示す説明図であり、図８は、皮膚下陰圧維持具を使用した際の皮膚下に働く陰圧の状態を示す説明図である。
【００３６】
皮膚下陰圧維持具１１０，１２０，１３０を使用する際には、先ず、接着面１２を覆っているシートを剥がして接着剤又は両面テープの接着面１２を露出させてから、図７に示すように、保持部１１１，１２１，１３１の下部を皮膚Ｓに向け、それぞれの保持部１１１，１２１，１３１を所定の額、目元、及び口元の位置に配置させる。
【００３７】
具体的に、額用の皮膚下陰圧維持具１１０では、図７に示すように、第１の曲面１１１ｂを下方に位置させて、保持部１１１を眉間や眉などの近傍における凹凸部分に対応する位置に配置させる。また、目元用の皮膚下陰圧維持具１２０は、図７に示すように、第１の曲面１２１ｂを目の近傍部分に位置させて、保持部１２１を目尻部分の凹凸形状に対応する位置に配置させる。さらに、口元用の皮膚下陰圧維持具１３０は、図７に示すように、第１の曲面１３１ｂを口部分の近傍に位置させるとともに、保持部１３１を、ほうれい線部分における凹凸形状に対応する位置に配置させる。このように各皮膚下陰圧維持具１１０，１２０，１３０をそれぞれ配置させることで、図８（ａ）に示すように、顔の形状の凹凸部分にも対応して、皮膚下陰圧維持具１０が配置される。
【００３８】
次いで、図８（ｂ）に示すように、保持部１１（１１１，１２１，及び１３１）を上部から指などで皮膚Ｓに向けて押込んで接着面１２を皮膚Ｓに押し付ける。保持部１１（１１１，１２１，及び１３１）は、弾性を有するのでその弾性による復元力に抗して上部を押込むことになる。このようにして接着面１２を皮膚Ｓに貼着させる。
【００３９】
接着面１２を皮膚Ｓに貼着することができたら、次に、各保持部１１（１１１，１２１，及び１３１）の上部を押込んでいた指を離す。これにより、復元力に抗して押込まれていた各保持部１１（１１１，１２１，及び１３１）は、図８（ａ）に示した状態に戻ろうとする。これにより、図８（ｃ）に示したように皮膚Ｓが持ち上げられ、その状態が保持される。この状態では、持ち上げられた皮膚Ｓ下の細胞に陰圧が生じるとともに、保持部１１の外周部分には、皮膚下を押下する力が生じ、皮膚下の細胞に陽圧が生じる。
【００４０】
なお、接着面１２に接着剤を塗布しておらず、また、両面テープを貼付していない場合には、別に、接着面１２に塗布する接着剤や接着面１２に貼付する両面テープを付属しておき、使用の度に接着剤を塗布するか、両面テープを接着面１２に貼付してから皮膚Ｓに接着面１２を貼り付けるようにしてもよい。また、皮膚下陰圧維持具１０（１１０，１２０，１３０）を取り外すときは、保持部１１（１１１，１２１，及び１３１）を引っ張って、接着面１２を皮膚から剥がせばよい。
【００４１】
また、本発明の実施の形態を図面によって説明してきたが、具体的な構成は前述した実施の形態に限られるものではなく、本発明の要旨を逸脱しない範囲における変更や追加があっても本発明に含まれる。
【００４２】
（作用・効果）
本発明にかかる皮膚下陰圧維持具によれば、皮膚に接着面１２を貼り付けることで、接着面１２に連結した保持部１１の復元力によって皮膚Ｓが持ち上げられ、保持部１１の外周部分の皮膚下には、陽圧を生じさせるとともに、保持部１１の皮膚下に陰圧を生じさせることができる。さらに、本実施形態によれば、保持部１１には、その皮膚Ｓと接触する面に粘着性の接着面１２を有しているので、ユーザーが手を離した場合でも、皮膚は接着面１２と接着状態を維持することができるので、皮膚Ｓ下に陰圧の生じた状態を維持することが容易にできる。このように皮膚下に陰圧が生じたままの状態を維持すると、陰圧がかかっている皮膚下では、陰圧による力を受け続けるため、細胞の新陳代謝を促進させ、細胞を活性化させるとともに、細胞を増殖させることができる。これにより、皮膚に現れたしわやしみなどの消失を促すことができる。
【００４３】
また、皮膚下陰圧維持具１０は、皮膚に貼り付ける接着面１２と、この接着面を保持する保持部１１だけからなるので、極めて簡易な構造のものとすることができる。さらに、皮膚Ｓの外側に密閉空間を作って、この密閉空間を減圧して皮膚を吸引する必要がないので、皮膚に優しく、且つ、皮膚に使用する箇所を選ばず、さらに、長時間に亘って継続使用することができるので、細胞の新陳代謝を促進させ、細胞を活性化させるとともに、細胞を増殖させる効果が向上する。
【００４４】
特に、本実施形態において、保持部１１は稜線Ｌを境として曲率の異なる一対の曲面１１ａ，１１ｂが接合された形状を有しているので、第１の面曲１１ｂ及び第２の１１ａの下方部分に位置する皮膚Ｓに対して、異なる陰圧状態を生じさせることができ、これにより、顔の凹凸部分に追従して陰圧を生じさせることができる。詳しくは、本実施形態では、曲面１１ａを、外方に膨らんだ凸状とし、曲面１１ｂよりも面積が大きくし、その形状による弾性によって、内部に主として陰圧を生じさせる。一方、曲面１１ｂにおいても、外方に膨らんだ凸状とし、内部に主として陰圧を生じさせる。これにより、相互の陰圧が作用し合うことで、局所的に作用する力が制御され、身体各部位の複雑な凹凸形状に追従させて、陰圧に部分的な強弱を付けることができ、各部位のしわの特性に合った効果を得ることができる。
【００４５】
さらに、本実施形態において、一対の曲面は、縁部にサインカーブ状を有する第１の曲面１１ａと、第１の曲面よりも面積が広く、縁部が略円形の第２の曲面１１ｂとから構成されているので、目や口の近傍にはサインカーブ状を有する第１の曲面部分を配置させ、その他の部分に第２の曲面部分を配置させることで、目や口に皮膚下陰圧維持具が触れない状態で、目や口の周りにできたしわや弛みに対して適切に陰圧状態を生じさせることができる。
【００４６】
また、本実施形態において、保持部１１には、稜線Ｌ上の一点Ｐを中心とする放射線状の切込線Ｔが表示され、切込線Ｔに沿って、保持部１１の一部分を切除することにより、皮膚Ｓに貼着された状態の曲率を調節可能となっているので、各ユーザーによって異なる顔の形状に追従して皮膚Ｓ下に陰圧状態を生じさせることができる。また、保持部１１には、切込線Ｔが表示されているので、ユーザーは、特別な熟練を要せず、容易に曲面の曲率を調整することができる。
【００４７】
さらに、本実施形態において、接着面１２は、皮膚Ｓを接着するための接着剤、や接着テープである接着部材２０を有しているので、接着剤が塗布、又は、接着テープが貼り付けられることで、皮膚Ｓと接着面との粘着力が増し、皮膚に容易に接着することができるとともに、接着面に接着した皮膚Ｓを所定位置まで持ち上げることができ、皮膚Ｓ下に陰圧が生じた状態を維持させることができる。
【００４８】
［第２実施形態］
次いで、本発明の第２実施形態について説明する。上述した第１実施形態では、２つの曲面を一つの稜線を境として接合した形態を例に説明したが、曲面及び稜線の個数を増やし、さらに複雑な形状にして、陰圧及び陽圧をさらに精度よく制御することができる。
【００４９】
本実施形態では、皮膚下陰圧維持具に稜線が２つある場合を例に説明する。図９（ａ）は、第２実施形態に係る皮膚下陰圧維持具を示す斜視図であり、同図（ｂ）は、同図（ａ）におけるＤ−Ｄ断面図であり、同図（ｃ）は、第２実施形態に係る皮膚下陰圧維持具を使用した際の状態を示す説明図である。なお、本実施形態において、上述した第１実施形態と同一の構成要素には同一の符号を付し、その機能等は特に言及しない限り同一であり、その説明は省略する。
【００５０】
本実施形態における皮膚下陰圧維持具１４０は、口元の周辺部分を覆い、周辺部分の皮膚Ｓ下に陰圧を生じさせ、その陰圧状態を維持するための器具であり、図９（ａ）に示すように、その上部に保持部１４１を備えている。
【００５１】
本実施形態において、保持部１４１は、所定の縁部間を延びる稜線Ｌ４１，Ｌ４２を有しており、稜線Ｌ４１，Ｌ４２を境として、第１の曲面１４１ｂと、第２の曲面１４１ａと、第３の曲面１４１ｃとが接合された形状をなしている。
【００５２】
第１の曲面１４１ｂは、縁部１４２ｂにサインカーブ状の形状を有している曲面であり、図９（ｃ）に示すように、口元近傍の凹凸部分に対応する形状となっている。また、第２の曲面１４１ａは、第１の曲面よりも面積が広く、縁部１４２ａに略円形の形状を有する曲面であり、図９（ｃ）に示すように、頬の下部に位置するようになっている。さらに、第３の曲面１４１ｃは、縁部１４２ｃがサインカーブ状を有する曲面であり、目元周辺に位置するようになっている。
【００５３】
そして、本実施形態では、図９（ｂ）に示すように、第３の曲面１４１ｃの曲率Ｒ４ｃと、第２の曲面１４１ａの曲率Ｒ４ａとの曲率が異なるように構成されている。さらに、第１の曲面１４１ｂの曲率Ｒ４ｂと、第３の曲面１４１ｃの曲率Ｒ４ｄとの曲率が異なるように構成されている。なお、口元用の皮膚下陰圧維持具１４０においても、図示しないが、保持部１４１の皮膚Ｓに対向する側の天井面には、接着面１２が設けられている。
【００５４】
このような構成により、皮膚Ｓに使用した際は、保持部１４１の弾性による復元力によって、図９（ｂ）に示すように、第２の曲面１４１ａの下方に位置する皮膚Ｓは、抑えられ、皮膚下の細胞に対して陽圧を生じさせるとともに、第３の曲面１４１ｃの下方に位置する皮膚Ｓは、所定位置まで持ち上げられて、その状態が保持される。これにより、その皮膚下の細胞に対して陰圧状態を維持させることができ、皮膚下における細胞の新陳代謝を促進させ、細胞を活性化させるとともに、細胞を増殖させることにより、ほうれい線を消去させ、頬の弛みや、目元の弛みを防止することができる。特に、本実施形態では、稜線を複数有する形状としたため、各曲面の面積及び形状の違いにより局所的に作用する力を、より精度よく制御することができ、身体各部位の複雑な凹凸形状に追従させて、より正確に陰圧及び陽圧に部分的な強弱を付けることができる。
【００５５】
［変更例］
上述した各実施形態においては、以下のような変更を加えることができる。例えば、皮膚下陰圧維持具を顔以外の部分に用いてもよい。本変更例では、皮膚下陰圧維持具を乳房に使用した場合を例に説明する。図１０（ａ）は、本変更例に係る皮膚下陰圧維持具を示す斜視図であり、同図（ｂ）は、その側断面図であり、同図（ｃ）は、本変更例に係る皮膚下陰圧維持具の稜線を示す説明図である。
【００５６】
本変更例に係る皮膚下陰圧維持具１５０は、図１０（ａ）に示すように、乳房全体を覆うように形成された保持部１５１を有しており、乳頭部分に対応する箇所に、保持部１５１を貫通する孔１５２を有している。また、本変更例に係る皮膚下陰圧維持具１５０においても、乳房部分の皮膚Ｓと接触する面に粘着性の接着面１２を有している。
【００５７】
そして、保持部１５１によって乳房全体を覆うことで、接着面１２に貼着した皮膚は保持部１５１の弾性による復元力によって所定位置まで持ち上げられて、その状態が保持されるので、その皮膚下の細胞に対して陰圧状態を維持させることができ、皮膚下における細胞の新陳代謝を促進させ、細胞を活性化させるとともに、細胞を増殖させることができる。これにより、バストアップを促すことができる。
【００５８】
なお、本変更例において、保持部１５１は、図１０（ｃ）に示すように、その複数の稜線Ｌ５１及びＬ５２を境として曲率の異なる複数の曲面１５１ａ，１５１ｂ，１５１ｃを接合し、凹凸が複合した雫形状の略半球の形状とすることができる。具体的には、上部の曲面１５１ａ及び１５１ｂは、外方に膨らんだ凸状をなす曲面であり、上下に延びる稜線Ｌ５１を境として、左右に接合されている。この曲面１５１ａ及び１５１ｂの部分は、曲面１５１ｃよりも面積が大きく、その形状による弾性によって、内部に、上方へ引っ張り上げるような陰圧を生じさせる。一方、曲面１５１ｃは、内方に窪んだ凹状をなす曲面とすることができ、内部に、下方から支え上げるような陽圧を生じさせる。
【００５９】
このような曲面１５１ａ〜１５１ｃは、相互に作用・反作用の関係によって全体として陰圧と陽圧とが釣り合った状態となるが、各曲面の面積及び形状の違いにより局所的に作用する力が制御され、身体各部位の複雑な凹凸形状に追従させて、陰圧及び陽圧に部分的な強弱を付けることができ、各部位の特性に合った効果を得ることができる。
【符号の説明】
【００６０】
Ｌ（Ｌ１，Ｌ２，Ｌ３，Ｌ４，Ｌ５）…稜線
Ｐ１，Ｐ２，Ｐ３…稜線上の点
Ｒｂ（Ｒ１ｂ，Ｒ２ｂ，Ｒ３ｂ）…第１の曲面における曲率
Ｒａ（Ｒ２ａ，Ｒ２ａ，Ｒ３ａ）…第２の曲面における曲率
Ｒ４ｃ…第１の曲面における曲率
Ｒ４ｄ…第３の曲面における曲率
Ｓ…皮膚
Ｔ１，Ｔ２，Ｔ３…切込線
２…空間
１０…皮膚下陰圧維持具
１１…保持部
１１ａ，１１ｂ…曲面
１２…接着面
２０…接着部材
１１０…額用の皮膚下陰圧維持具
１２０…目元用の皮膚下陰圧維持具
１３０…口元用の皮膚下陰圧維持具
１４０…口元用の皮膚下陰圧維持具
１５０…乳房用の皮膚下陰圧維持具
１１１，１２１，１３１、１４１，１５１…保持部
１１１ａ，１２１ａ，１３１ａ，１４１ａ…第２の曲面
１１１ｂ，１２１ｂ，１３１ｂ，１４１ｂ…第１の曲面
１１２ａ，１２２ａ，１３２ａ…第２の曲面の縁部
１１２ｂ，１２２ｂ，１３２ｂ…第１の曲面の縁部
１４１ｃ…第３の曲面
１４２ｃ…第３の曲面の縁部
１５２…孔
【図１】
2012152496.tif 000003
【図２】
2012152496.tif 000004
【図３】
2012152496.tif 000005
【図４】
2012152496.tif 000006
【図５】
2012152496.tif 000007
【図６】
2012152496.tif 000008
【図７】
2012152496.tif 000009
【図８】
2012152496.tif 000010
【図９】
2012152496.tif 000011
【図１０】
2012152496.tif 000012